(57)【要約】【課題】不適切な画像表示が行われないように表示モードを設定することができる技術を提供する。【解決手段】本発明の表示制御装置は、複数の取得手段と、複数の取得手段の取得結果に基づいて、少なくとも１つの取得手段によって取得された画像データを、表示対象として決定する決定手段と、２つ以上の画像データが表示対象として決定された場合に、２つ以上の画像データに基づく２つ以上の画像を並べて表示する第１表示モードを設定し、１つの画像データが表示対象として決定された場合に、１つの画像データに基づく１つの画像を表示する第２表示モードを設定する設定手段と、を有し、決定手段は、取得された複数の画像データのフォーマットが同一でない場合に、複数の画像データのフォーマットに基づいて１つのフォーマットを決定し、当該１つのフォーマットを有する画像データを表示対象として決定する。【選択図】図１
2017072644.tif 000002
【特許請求の範囲】
【請求項１】
各々が画像データを取得する複数の第１取得手段と、
前記複数の第１取得手段の取得結果に基づいて、少なくとも１つの第１取得手段によって取得された画像データを、表示対象として決定する決定手段と、
２つ以上の第１取得手段によって取得された２つ以上の画像データが前記表示対象として決定された場合に、前記２つ以上の画像データに基づく２つ以上の画像を並べて表示する第１表示モードを設定し、１つの第１取得手段によって取得された１つの画像データが前記表示対象として決定された場合に、前記１つの画像データに基づく１つの画像を表示する第２表示モードを設定する設定手段と、
を有し、
前記決定手段は、複数の画像データが取得され、かつ、前記複数の画像データのフォーマットが同一でない場合に、前記複数の画像データのフォーマットに基づいて１つのフォーマットを決定し、前記１つのフォーマットを有する画像データを前記表示対象として決定する
ことを特徴とする表示制御装置。
【請求項２】
前記決定手段は、複数の画像データが取得され、かつ、前記複数の画像データのフォーマットが同一である場合に、前記複数の画像データを前記表示対象として決定する
ことを特徴とする請求項１に記載の表示制御装置。
【請求項３】
前記決定手段は、３つ以上の画像データが取得され、かつ、前記３つ以上の画像データのうちの１つの画像データのフォーマットが、前記３つ以上の画像データのうちの残り全ての画像データのフォーマットと異なり、かつ、前記残り全ての画像データのフォーマットが同一である場合に、当該１つの画像データを前記表示対象として決定する
ことを特徴とする請求項１または２に記載の表示制御装置。
【請求項４】
前記決定手段は、複数の画像データが取得され、かつ、前記複数の画像データのフォーマットが同一でなく、かつ、所定の情報が付加された画像データが前記複数の画像データに含まれている場合に、前記所定の情報が付加された画像データを前記表示対象として決定する
ことを特徴とする請求項１〜３のいずれか１項に記載の表示制御装置。
【請求項５】
前記決定手段は、複数の画像データが取得され、かつ、前記複数の画像データのフォーマットが同一でなく、かつ、前記所定の情報が付加された画像データと、前記所定の情報が付加された画像データのフォーマットと同じフォーマットを有する画像データとが前記複数の画像データに含まれている場合に、前記所定の情報が付加された画像データと、前記所定の情報が付加された画像データのフォーマットと同じフォーマットを有する画像データとを前記表示対象として決定する
ことを特徴とする請求項１〜４のいずれか１項に記載の表示制御装置。
【請求項６】
前記所定の情報は、ペイロード情報である
ことを特徴とする請求項４または５に記載の表示制御装置。
【請求項７】
画像データのフォーマットに関する情報であるフォーマット情報を取得する第２取得手段をさらに有し、
前記決定手段は、複数の画像データが取得され、かつ、前記第２取得手段によって前記フォーマット情報が取得された場合に、前記第２取得手段によって取得された前記フォーマット情報に基づいて、前記表示対象を決定する
ことを特徴とする請求項１〜６のいずれか１項に記載の表示制御装置。
【請求項８】
前記決定手段は、
複数の画像データが取得され、かつ、第１の解像度に関するフォーマット情報が前記第２取得手段により取得された場合に、前記複数の画像データを前記表示対象として決定し、
複数の画像データが取得され、かつ、第１の解像度よりも低い第２の解像度に関するフォーマット情報が前記第２取得手段により取得された場合に、前記複数の画像データのうち前記フォーマット情報に関連したフォーマットと同じフォーマットを有する画像データを、前記表示対象として決定する
ことを特徴とする請求項７に記載の表示制御装置。
【請求項９】
前記フォーマットは、解像度、フレームレート、及び、伝送方式の少なくともいずれかを含む
ことを特徴とする請求項１〜８のいずれか１項に記載の表示制御装置。
【請求項１０】
各々が画像データを取得する複数の第１取得ステップと、
前記複数の第１取得ステップの取得結果に基づいて、少なくとも１つの第１取得ステップによって取得された画像データを、表示対象として決定する決定ステップと、
２つ以上の第１取得ステップによって取得された２つ以上の画像データが前記表示対象として決定された場合に、前記２つ以上の画像データに基づく２つ以上の画像を並べて表示する第１表示モードを設定し、１つの第１取得ステップによって取得された１つの画像データが前記表示対象として決定された場合に、前記１つの画像データに基づく１つの画像を表示する第２表示モードを設定する設定ステップと、
を有し、
前記決定ステップでは、複数の画像データが取得され、かつ、前記複数の画像データのフォーマットが同一でない場合に、前記複数の画像データのフォーマットに基づいて１つのフォーマットを決定し、前記１つのフォーマットを有する画像データを前記表示対象として決定する
ことを特徴とする表示制御方法。
【請求項１１】
前記決定ステップでは、複数の画像データが取得され、かつ、前記複数の画像データのフォーマットが同一である場合に、前記複数の画像データを前記表示対象として決定することを特徴とする請求項１０に記載の表示制御方法。
【請求項１２】
前記決定ステップでは、３つ以上の画像データが取得され、かつ、前記３つ以上の画像データのうちの１つの画像データのフォーマットが、前記３つ以上の画像データのうちの残り全ての画像データのフォーマットと異なり、かつ、前記残り全ての画像データのフォーマットが同一である場合に、当該１つの画像データを前記表示対象として決定する
ことを特徴とする請求項１０または１１に記載の表示制御方法。
【請求項１３】
前記決定ステップでは、複数の画像データが取得され、かつ、前記複数の画像データのフォーマットが同一でなく、かつ、所定の情報が付加された画像データが前記複数の画像データに含まれている場合に、前記所定の情報が付加された画像データを前記表示対象として決定する
ことを特徴とする請求項１０〜１２のいずれか１項に記載の表示制御方法。
【請求項１４】
前記決定ステップでは、複数の画像データが取得され、かつ、前記複数の画像データのフォーマットが同一でなく、かつ、前記所定の情報が付加された画像データと、前記所定の情報が付加された画像データのフォーマットと同じフォーマットを有する画像データとが前記複数の画像データに含まれている場合に、前記所定の情報が付加された画像データ
と、前記所定の情報が付加された画像データのフォーマットと同じフォーマットを有する画像データとを前記表示対象として決定する
ことを特徴とする請求項１０〜１３のいずれか１項に記載の表示制御方法。
【請求項１５】
前記所定の情報は、ペイロード情報である
ことを特徴とする請求項１３または１４に記載の表示制御方法。
【請求項１６】
画像データのフォーマットに関する情報であるフォーマット情報を取得する第２取得ステップをさらに有し、
前記決定ステップでは、複数の画像データが取得され、かつ、前記第２取得ステップによって前記フォーマット情報が取得された場合に、前記第２取得ステップによって取得された前記フォーマット情報に基づいて、前記表示対象を決定する
ことを特徴とする請求項１０〜１５のいずれか１項に記載の表示制御方法。
【請求項１７】
前記決定ステップでは、
複数の画像データが取得され、かつ、第１の解像度に関するフォーマット情報が前記第２取得ステップにより取得された場合に、前記複数の画像データを前記表示対象として決定し、
複数の画像データが取得され、かつ、第１の解像度よりも低い第２の解像度に関するフォーマット情報が前記第２取得ステップにより取得された場合に、前記複数の画像データのうち前記フォーマット情報に関連したフォーマットと同じフォーマットを有する画像データを、前記表示対象として決定する
ことを特徴とする請求項１６に記載の表示制御方法。
【請求項１８】
前記フォーマットは、解像度、フレームレート、及び、伝送方式の少なくともいずれかを含む
ことを特徴とする請求項１０〜１７のいずれか１項に記載の表示制御方法。
【請求項１９】
請求項１０〜１８のいずれか１項に記載の表示制御方法の各ステップをコンピュータに実行させることを特徴とするプログラム。
【発明の詳細な説明】
【技術分野】
【０００１】
本発明は、表示制御装置に関する。
【背景技術】
【０００２】
水平有効画素数３８４０×垂直有効ライン数２１６０などの高解像度を有する画像を表示可能な画像表示装置がある。以後、「水平有効画素数Ｘ×垂直有効ライン数Ｙ」を「Ｘ×Ｙ」と記載する。放送用の画像、映画用の画像、等を制作する画像制作分野では、画像出力装置により、高解像度を有する画像を構成する複数の部分画像を表す複数の部分画像データが、複数のケーブルを介して画像表示装置に送られることがある。そして、画像表示装置により、複数の部分画像データによって表された複数の部分画像が同時に表示されることがある。画像表示装置では、複数の部分画像が同時に表示されることにより、高解像度を有する画像が表示される。ケーブルとしては、例えば、ＳＤＩ（Ｓｅｒｉａｌ  Ｄｉｇｉｔａｌ  Ｉｎｔｅｒｆａｃｅ）ケーブルが使用される。
【０００３】
例えば、３８４０×２１６０の解像度に対応する画像表示装置は、各々が１９２０×１０８０の解像度を有する部分画像を表す４つの部分画像データを、４本のケーブルを介して画像出力装置から取得する。その後、画像表示装置は、４つの部分画像データによって表された４つの部分画像を、互いに異なる４つの画面領域に同時に表示する。これにより、画像表示装置では、３８４０×２１６０の解像度を有する画像が表示される。
【０００４】
また、複数の部分画像を複数の画面領域に同時に表示する表示モード（マルチ表示モード）と、選択された１つの部分画像を画面全体に表示する表示モード（シングル表示モード）とを有する画像表示装置がある。上述した画像制作分野では、様々な解像度を有する画像が制作される。例えば、上述した画像制作分野では、３８４０×２１６０の解像度を有する画像（第１制作画像）が制作されたり、１９２０×１０８０の解像度を有する画像（第２制作画像）が制作されたりする。第１制作画像を表示する場合には、画像出力装置により、第１制作画像データ（第１制作画像を表す画像データ）から複数の部分画像データが生成され、複数の部分画像データが複数のケーブルを介して画像表示装置に送られる。そして、第２制作画像を表示する場合には、画像出力装置により、第２制作画像データ（第２制作画像を表す画像データ）が１本のケーブルを介して画像表示装置に送られる。そのため、第１制作画像を表示する場合には、マルチ表示モードを設定することが好ましく、第２制作画像を表示する場合には、シングル表示モードを設定することが好ましい。
【０００５】
特許文献１には、複数の入力端子のうちの１つのみにおいて画像データが取得された場合にシングル表示モードを選択し、複数の入力端子の全てにおいて画像データが取得された場合にマルチ表示モードを選択する技術が開示されている。
【０００６】
しかしながら、画像出力装置から画像表示装置への画像データの伝送に、全てのケーブルが常に使用されることがある。例えば、第２制作画像を表示する場合に、画像出力装置により、第２制作画像データが１本のケーブルを介して画像表示装置に送られ、ダミー画像データが残りのケーブルを介して画像表示装置に送られることがある。ダミー画像データの色、輝度、フレームレート、伝送方式（インターレース方式、プログレッシブ方式、等）、解像度、等の少なくともいずれかは、第２制作画像データのそれと異なる。例えば、ダミー画像データは、単色（緑一色）の画像を表す。
【０００７】
特許文献１に開示の技術では、第２制作画像データが１つの入力端子によって取得され、ダミー画像データが残りの入力端子によって取得された場合に、マルチ表示モードが選
択される。その結果、複数の画面領域の１つに第２制作画像が表示され、残りの画面領域にダミー画像（ダミー画像データによって表された画像）が表示される。このような画像表示は非常に見苦しい。このように、特許文献１に開示の技術では、不適切な画像表示（見苦しい画像表示）が行われる虞がある。
【０００８】
特許文献２には、取得された画像データの解像度に基づいてマルチ表示モードまたはシングル表示モードを選択する技術が開示されている。具体的には、解像度が低い２つ以上の画像データが取得された場合に、シングル表示モードが選択される。しかしながら、特許文献２に開示の技術では、第２制作画像データが１つの入力端子によって取得され、解像度が高いダミー画像データが残りの入力端子によって取得された場合に、マルチ表示モードが選択される。そのため、特許文献２に開示の技術でも、不適切な画像表示（見苦しい画像表示）が行われる虞がある。
【先行技術文献】
【特許文献】
【０００９】
【特許文献１】特開２００６−０８６８６６号公報
【特許文献２】特開２０１５−０６００２１号公報
【発明の概要】
【発明が解決しようとする課題】
【００１０】
本発明は、不適切な画像表示が行われないように表示モードを設定することができる技術を提供することを目的とする。
【課題を解決するための手段】
【００１１】
本発明の第１の態様は、
各々が画像データを取得する複数の第１取得手段と、
前記複数の第１取得手段の取得結果に基づいて、少なくとも１つの第１取得手段によって取得された画像データを、表示対象として決定する決定手段と、
２つ以上の第１取得手段によって取得された２つ以上の画像データが前記表示対象として決定された場合に、前記２つ以上の画像データに基づく２つ以上の画像を並べて表示する第１表示モードを設定し、１つの第１取得手段によって取得された１つの画像データが前記表示対象として決定された場合に、前記１つの画像データに基づく１つの画像を表示する第２表示モードを設定する設定手段と、
を有し、
前記決定手段は、複数の画像データが取得され、かつ、前記複数の画像データのフォーマットが同一でない場合に、前記複数の画像データのフォーマットに基づいて１つのフォーマットを決定し、前記１つのフォーマットを有する画像データを前記表示対象として決定する
ことを特徴とする表示制御装置である。
【００１２】
本発明の第２の態様は、
各々が画像データを取得する複数の第１取得ステップと、
前記複数の第１取得ステップの取得結果に基づいて、少なくとも１つの第１取得ステップによって取得された画像データを、表示対象として決定する決定ステップと、
２つ以上の第１取得ステップによって取得された２つ以上の画像データが前記表示対象として決定された場合に、前記２つ以上の画像データに基づく２つ以上の画像を並べて表示する第１表示モードを設定し、１つの第１取得ステップによって取得された１つの画像データが前記表示対象として決定された場合に、前記１つの画像データに基づく１つの画像を表示する第２表示モードを設定する設定ステップと、
を有し、
前記決定ステップでは、複数の画像データが取得され、かつ、前記複数の画像データのフォーマットが同一でない場合に、前記複数の画像データのフォーマットに基づいて１つのフォーマットを決定し、前記１つのフォーマットを有する画像データを前記表示対象として決定する
ことを特徴とする表示制御方法である。
【００１３】
本発明の第３の態様は、上述した表示制御方法の各ステップをコンピュータに実行させることを特徴とするプログラムである。
【発明の効果】
【００１４】
本発明によれば、不適切な画像表示が行われないように表示モードを設定することができる。
【図面の簡単な説明】
【００１５】
【図１】実施例１に係る画像表示装置の構成の一例を示すブロック図
【図２】マルチ表示モードが設定された場合の表示例を示す図
【図３】マルチ表示モードが設定された場合の表示例を示す図
【図４】シングル表示モードが設定された場合の表示例を示す図
【図５】実施例１，２に係る自動設定処理の処理フローの一例を示すフロー図
【図６】実施例１に係る表示対象決定処理の処理フローの一例を示すフロー図
【図７】実施例１に係る表示対象決定処理の具体例を説明する図
【図８】実施例１に係る表示対象決定処理の処理フローの一例を示すフロー図
【図９】実施例２に係る画像表示システムの構成の一例を示すブロック図
【図１０】実施例２に係る表示対象決定処理の処理フローの一例を示すフロー図
【発明を実施するための形態】
【００１６】
＜実施例１＞
以下、本発明の実施例１について説明する。図１は、本発明に係る表示制御装置を有する画像表示装置１００の構成の一例を示すブロック図である。画像表示装置１００は、外部からの画像データの取得結果に基づいて、画像表示装置１００の表示モードを自動で切り替える。表示モードには、マルチ表示モード（第１表示モード）と、シングル表示モード（第２表示モード）とがある。マルチ表示モードは、２つ以上の画像データに基づく２つ以上の画像を並べて表示する表示モードである。シングル表示モードは、１つの画像データに基づく１つの画像を表示する表示モードである。
【００１７】
以下の説明では、「水平有効画素数Ｘ×垂直有効ライン数Ｙ」を「Ｘ×Ｙ」と記載する。３８４０×２１６０の解像度を有する画像を「４Ｋ画像」と記載する。そして、１９２０×１０８０の解像度を有する画像を「２Ｋ画像」と記載する。なお、画像表示装置１００で扱われる画像の解像度は、３８４０×２１６０や１９２０×１０８０に限らない。
【００１８】
制御部（ＣＰＵ）１０１は、画像表示装置１００が有する各機能部の処理を制御する。
【００１９】
画像入力部１０２は、複数の画像受信部を有する。複数の画像受信部の各々は、画像データと、当該画像データのフォーマットに関する情報である個別フォーマット情報とを取得する。上記フォーマットは、例えば、解像度（１９２０×１０８０等）、フレームレート（６０Ｈｚ、５９．９４Ｈｚ、等）、及び、伝送方式（インターレース方式、プログレッシブ方式、ＰｓＦ方式、等）の少なくともいずれかを含む。本実施例では、画像入力部１０２は、４つの画像受信部１０３〜１０６を有する。画像受信部１０３〜１０６のそれぞれは、ＳＤＩ規格に準じたＳＤＩ入力端子である。画像受信部１０３〜１０６のそれぞれは、不図示の画像出力装置から出力されたＳＤＩ信号を受信し、受信したＳＤＩ信号か
ら画像データと個別フォーマット情報を取得し、取得した画像データと個別フォーマット情報を出力する。個別フォーマット情報は、例えば、ＳＤＩ信号のアンシラリ領域に格納されている。
【００２０】
なお、画像受信部の規格はＳＤＩ規格に限らない。例えば、画像受信部として、ＨＤＭＩ規格に準じたＨＤＭＩ入力端子が使用されてもよい。また、画像データを取得する処理（第１取得処理）と、個別フォーマット情報を取得する処理とは、互いに異なる機能部によって行われてもよい。画像表示装置１００に画像データと個別フォーマット情報が個別に入力されてもよい。個別フォーマット情報は外部から取得されなくてもよい。画像表示装置１００の内部において、画像データから当該画像データのフォーマットが検出されてもよい。例えば、画像データの解像度は、当該画像データの画素数をカウントすることで検出することができる。また、画像受信部の数は４つより多くても少なくてもよい。
【００２１】
入力有無判断部１０８は、画像受信部１０３〜１０６のそれぞれについて、画像受信部への画像データの入力の有無を判断する。即ち、画像受信部によって画像データが取得されたか否かが判断される。判断方法は特に限定されない。例えば、個別フォーマット情報が解像度を示す場合には、個別フォーマット情報に基づいて、画像データの入力の有無を判断することができる。具体的には、個別フォーマット情報が示す解像度の水平有効画素数と垂直有効ライン数との両方が０でない場合に、画像データの入力があると判断することができる。そして、個別フォーマット情報が示す解像度の水平有効画素数と垂直有効ライン数との少なくとも一方が０である場合に、画像データの入力が無いと判断することができる。そして、入力有無判断部１０８は、上述した判断の結果を出力する。
【００２２】
表示対象決定部１０９は、画像受信部１０３〜１０６の受信結果（取得結果）に基づいて、少なくとも１つの画像受信部によって取得された画像データを、表示対象として決定する。本実施例では、入力有無判断部１０８の判断結果、画像受信部１０３〜１０６によって取得された個別フォーマット情報、及び、画像受信部１０３〜１０６によって取得された画像データのペイロード情報の有無に基づいて、表示対象が決定される。表示対象を決定する処理（表示対象決定処理）の詳細は後述する。
【００２３】
表示モード設定部１１０は、表示対象決定部１０９の処理結果に基づいて、画像表示装置１００の表示モードを設定する。具体的には、表示モード設定部１１０は、２つ以上の画像受信部によって取得された２つ以上の画像データが表示対象として決定された場合に、マルチ表示モードを設定する。そして、表示モード設定部１１０は、１つの画像受信部によって取得された１つの画像データが表示対象として決定された場合に、シングル表示モードを設定する。
【００２４】
画像処理部１０７は、表示モード設定部１１０によって設定された表示モードと、表示対象決定部１０９の処理結果とに基づいて、画像受信部１０３〜１０６によって取得された画像データから、表示用画像データを生成する。そして、画像処理部１０７は、表示用画像データを表示部１１１に出力する。本実施例では、マルチ表示モードが設定された場合に、表示対象である上記２つ以上の画像データに基づく２つ以上の画像を並べて画面に表示するための画像データが、表示用画像データとして生成される。例えば、上記２つ以上の画像を画面の全体または中央部に並べて表示するための画像データが、表示用画像データとして生成される。シングル表示モードが設定された場合には、表示対象である上記１つの画像データに基づく１つの画像を表示するための画像データが、表示用画像データとして生成される。例えば、上記１つの画像を画面の全体または中央部に表示するための画像データが、表示用画像データとして生成される。
【００２５】
表示部１１１は、画像処理部１０７から出力された表示用画像データに基づく画像を画
面に表示する。表示部１１１としては、液晶表示パネル、有機ＥＬ表示パネル、プラズマ表示パネル、等を使用することができる。
【００２６】
なお、本実施例に係る画像表示装置の処理は、複数の装置から構成されるシステムによって実現されてもよい。例えば、本実施例に係る表示制御装置は、画像表示装置と別体の装置であってもよい。その場合には、表示制御装置は表示部１１１を有していなくてもよい。また、表示部１１１が複数の部分表示部を有していてもよい。この場合、表示部１１１の画面は、複数の部分表示部の複数の画面（部分画面）によって構成される。複数の部分表示部は互いに独立した複数の装置であってもよい。
【００２７】
図２は、マルチ表示モードが設定された場合の表示例を示す。ここでは、４Ｋ画像（高解像度画像）の表示を目的とした画像データの送受信が、画像出力装置であるＰＣ（パーソナルコンピュータ）２０４と画像表示装置１００の間で行われる場合の例を説明する。また、画像表示装置１００が４Ｋ画像を表示可能であるとする。
【００２８】
図２に示すように、画像表示装置１００の画面全体の領域は、２行２列の４つの画面領域２００〜２０３によって構成される。そして、画像受信部１０３〜１０６と画面領域２００〜２０３は１対１で対応する。具体的には、マルチ表示モードが設定された場合に、画像受信部１０３によって取得された画像データに基づく画像は、画面領域２００に表示され、画像受信部１０４によって取得された画像データに基づく画像は、画面領域２０１に表示される。そして、画像受信部１０５によって取得された画像データに基づく画像は、画面領域２０２に表示され、画像受信部１０６によって取得された画像データに基づく画像は、画面領域２０３に表示される。
【００２９】
図２に示すように、ＰＣ２０４は、４つの画像送信部２０５〜２０８を有する。画像送信部２０５〜２０８のそれぞれは、ＳＤＩ規格に準じたＳＤＩ出力端子である。画像送信部２０５は、ＳＤＩケーブル２０９を介して画像受信部１０３に接続されており、画像送信部２０６は、ＳＤＩケーブル２１０を介して画像受信部１０４に接続されている。そして、画像送信部２０７は、ＳＤＩケーブル２１１を介して画像受信部１０５に接続されており、画像送信部２０８は、ＳＤＩケーブル２１２を介して画像受信部１０６に接続されている。
【００３０】
ＰＣ２０４は、４Ｋ画像データから４つの２Ｋ画像データを生成する。４Ｋ画像データは４Ｋ画像の画像データであり、２Ｋ画像データは２Ｋ画像（低解像度画像）の画像データである。４つの２Ｋ画像データに基づく４つの２Ｋ画像は、４Ｋ画像を構成する２行２列の４つの部分画像である。そのため、上記４つの２Ｋ画像データのそれぞれは、「部分画像データ」と呼ぶことができる。ＰＣ２０４は、１行１列目の部分画像データを、画像送信部２０５からＳＤＩケーブル２０９を介して画像受信部１０３に出力し、２行１列目の部分画像データを、画像送信部２０６からＳＤＩケーブル２１０を介して画像受信部１０４に出力する。そして、ＰＣ２０４は、１行２列目の部分画像データを、画像送信部２０７からＳＤＩケーブル２１１を介して画像受信部１０５に出力し、２行２列目の部分画像データを、画像送信部２０８からＳＤＩケーブル２１２を介して画像受信部１０６に出力する。それにより、１行１列目の部分画像が画面領域２００に表示され、２行１列目の部分画像が画面領域２０１に表示され、１行２列目の部分画像が画面領域２０２に表示され、２行２列目の部分画像が画面領域２０３に表示される。その結果、画像表示装置１００の画面全体に、破綻の無い４Ｋ画像が表示される。
【００３１】
ここで、２Ｋ画像の表示を目的とした画像データの送受信が、ＰＣ２０４と画像表示装置１００の間で行われるが出力されることがある。この場合、例えば、表示が望まれる２Ｋ画像データが画像送信部２０５から出力され、ダミー画像データが画像送信部２０６〜
２０８から出力される。ダミー画像データの色、輝度、フレームレート、伝送方式、解像度、等の少なくともいずれかは、表示が望まれる２Ｋ画像データのそれと異なる。そのため、マルチ表示モードが設定された場合には、図３に示すような画像表示が行われる。図３から、表示が望まれていない画像が画面領域２０１〜２０３に表示されており、不適切な画像表示（見苦しい画像表示）が行われていることがわかる。一方、シングル表示モードが設定された場合には、図４に示すような画像表示が行われる。図４から、表示が望まれた画像のみが画面の中央部４００に表示されており、適切な表示が行われていることがわかる。
【００３２】
そこで、本実施例では、画像表示装置１００が、図５に示す自動設定処理を行う。それにより、図３に示すような不適切な画像表示が行われないように表示モードを自動で設定および切り替えることができる。図５は、本実施例に係る自動設定処理の処理フローの一例を示すフローチャートである。
【００３３】
まず、Ｓ５０１にて、入力有無判断部１０８が、画像受信部１０３〜１０６のそれぞれについて、画像受信部への画像データの入力の有無を判断する。次に、Ｓ５０２にて、表示対象決定部１０９が、Ｓ５０１において「画像データの入力がある」と判断された画像受信部である検出受信部が複数存在するか否かを判断する。即ち、複数の画像データが取得されたか否かが判断される。複数の検出受信部が存在する場合には、Ｓ５０３に処理が進められる。検出受信部の数が１つである場合には、表示対象決定部１０９が、検出受信部によって取得された画像データを表示対象として決定し、Ｓ５０６に処理が進められる。検出受信部が存在しない場合には、表示対象決定部１０９が、表示対象は存在しないと判断し、本処理フローが終了される（不図示）。
【００３４】
Ｓ５０３では、表示対象決定部１０９が、複数の検出受信部の少なくともいずれかによって取得された画像データを、表示対象として決定する。Ｓ５０３では、複数の検出受信部によって取得された個別フォーマット情報と、複数の検出受信部によって取得された画像データにペイロード情報が付加されているか否かとに基づいて、表示対象が決定される。次に、Ｓ５０４にて、表示モード設定部１１０が、Ｓ５０３で決定された表示対象の数が２つ以上であるか否かを判断する。表示対象の数が２つ以上である場合には、Ｓ５０５に処理が進められ、表示対象の数が１つである場合には、Ｓ５０６に処理が進められる。
【００３５】
Ｓ５０５では、表示モード設定部１１０が、マルチ表示モードを設定する。画像処理部１０７は、Ｓ５０３で表示対象として決定された２つ以上の画像データから、表示用画像データを生成し、生成した表示用画像データを表示部１１１に出力する。それにより、Ｓ５０３で表示対象として決定された２つ以上の画像データに基づく２つの画像が、画面に並べて表示される。
【００３６】
Ｓ５０６では、表示モード設定部１１０が、シングル表示モードを設定する。画像処理部１０７は、Ｓ５０３で表示対象として決定された１つの画像データから、表示用画像データを生成し、生成した表示用画像データを表示部１１１に出力する。それにより、Ｓ５０３で表示対象として決定された１つの画像データに基づく１つの画像が、画面に表示される。
【００３７】
本実施例に係る表示対象決定処理（図５のＳ５０３の処理）について、図６を用いて詳しく説明する。図６は、本実施例に係る表示対象決定処理の処理フローの一例を示すフローチャートである。
【００３８】
まず、Ｓ６０１にて、表示対象決定部１０９が、複数の検出受信部によって取得された複数の個別フォーマット情報に基づいて、複数の検出受信部によって取得された複数の画
像データのそれぞれのフォーマットを判断する。なお、フォーマットの判断方法は個別フォーマット情報を用いた方法に限らない。上述したように、画像データからフォーマットが判断されてもよい。
【００３９】
次に、Ｓ６０２にて、表示対象決定部１０９が、Ｓ６０１の判断結果に基づいて、複数の検出受信部によって取得された複数の画像データのフォーマットが同一であるか否かを判断する。複数の画像データのフォーマットが同一である場合には、Ｓ６０３に処理が進められ、複数の検出受信部によって取得された複数の画像データのフォーマットが同一でない場合には、Ｓ６０４に処理が進められる。個別フォーマット情報が複数種類のフォーマットを示す場合には、各種類について、フォーマットが同一であるか否かが判断される。そして、全ての種類について「フォーマットが同一である」と判断された場合に、Ｓ６０３に処理が進められ、「フォーマットが同一である」と判断された種類が１つ以上存在する場合に、Ｓ６０４に処理が進められる。
【００４０】
Ｓ６０３では、表示対象決定部１０９が、複数の検出受信部によって取得された複数の画像データの全てを、表示対象として決定する。
【００４１】
Ｓ６０４では、表示対象決定部１０９が、複数の検出受信部によって取得された複数の画像データのそれぞれについて、画像データにペイロード情報（所定の情報）が付加されているか否かを判断する。なお、所定の情報はペイロード情報に限らない。ペイロード情報が付加された画像データが存在する場合には、Ｓ６０５に処理が進められ、ペイロード情報が付加された画像データが存在しない場合には、Ｓ６０６に処理が進められる。
【００４２】
Ｓ６０５では、表示対象決定部１０９が、ペイロード情報が付加された画像データを、表示対象として決定する。ペイロード情報が付加された画像データが複数存在する場合には、画像受信部１０３〜１０６の優先順に基づいて、ペイロード情報が付加された複数の画像データのうちの１つが表示対象として決定される。優先順に基づく表示対象の決定方法については後述する。さらに、表示対象決定部１０９は、複数の検出受信部によって取得された複数の画像データのうち、ペイロード情報が付加された画像データのフォーマットと同じフォーマットを有する画像データも、表示対象として決定する。なお、ペイロード情報が付加された画像データのみが表示対象として決定されてもよい。
【００４３】
Ｓ６０６では、表示対象決定部１０９が、複数の検出受信部によって取得された複数の画像データの中に孤立画像データが存在するか否かを判断する。孤立画像データは、３つ以上の検出受信部によって３つ以上の画像データが取得された場合に存在し得る。具体的には、１つの画像データのフォーマットが、残り全ての画像データのフォーマットと異なり、かつ、残り全ての画像データのフォーマットが同一である場合に、当該１つの画像データが孤立画像データとして検出される。孤立画像データが存在する場合にはＳ６０７に処理が進められ、孤立画像データが存在しない場合にはＳ６０８に処理が進められる。
【００４４】
Ｓ６０７では、表示対象決定部１０９が、孤立画像データを表示対象として決定する。
【００４５】
Ｓ６０８では、表示対象決定部１０９が、画像受信部１０３〜１０６の優先順に基づいて、複数の検出受信部によって取得された複数の画像データのうちの１つを表示対象として決定する。ここで、画像受信部１０３の優先度＞画像受信部１０４の優先度＞画像受信部１０５の優先度＞画像受信部１０６の優先度の場合を考える。画像受信部１０３によって画像データが取得された場合には、画像受信部１０３によって取得された画像データが表示対象として決定される。画像受信部１０３によって画像データが取得されず、かつ、画像受信部１０４によって画像データが取得された場合には、画像受信部１０４によって取得された画像データが表示対象として決定される。画像受信部１０３，１０４によって
画像データが取得されず、かつ、画像受信部１０５によって画像データが取得された場合には、画像受信部１０５によって取得された画像データが表示対象として決定される。さらに、表示対象決定部１０９は、優先順に基づいて表示対象として決定された画像データのフォーマットと同じフォーマットを有する画像データも、表示対象として決定する。
【００４６】
なお、Ｓ６０８では、複数の検出受信部によって取得された複数の画像データの全てが表示対象として決定されてもよい。残り全ての画像データのフォーマットと異なるフォーマットを有する画像データが表示対象として決定されてもよい。優先順（優先度）は、メーカによって予め定められ順番（値）であってもよいし、ユーザが変更可能な順番（値）であってもよい。優先順に基づいて表示対象として決定された画像データのフォーマットと同じフォーマットを有する画像データは、表示対象として決定されなくてもよい。
【００４７】
図７（Ａ）〜７（Ｆ）を用いて、表示対象決定処理の具体例を説明する。図７（Ａ）〜７（Ｆ）において、左側は、画像受信部１０３〜１０６によって取得された画像データに基づく画像を示し、右側は、画面に表示された画像を示す。図７（Ａ）〜７（Ｆ）において、画像７０１は、画像受信部１０３によって取得された画像データに基づく画像であり、画像７０２は、画像受信部１０４によって取得された画像データに基づく画像である。画像７０３は、画像受信部１０５によって取得された画像データに基づく画像であり、画像７０４は、画像受信部１０６によって取得された画像データに基づく画像である。画像７０１〜７０４に記載の文字は、画像データのフォーマットを示す。例えば、「１９２０×１０８０」は、解像度が１９２０×１０８０であることを示す。「２４ｐ」は、フレームレート（フレーム周波数）が２４Ｈｚであり、かつ、伝送方式がプログレッシブ方式であることを示す。「６０ｉ」は、フレームレートが６０Ｈｚであり、かつ、伝送方式がインターレース方式であることを示す。また、画像に記載の「Ｐａｙｌｏａｄ」は、画像にペイロード情報が付加されていることを示す。
【００４８】
図７（Ａ）では、画像７０１〜７０４の全てのフォーマットが「１９２０×１０８０，２４ｐ」である。そのため、Ｓ６０３の処理により、画像７０１〜７０４の全てが表示対象として決定される。
【００４９】
図７（Ｂ）では、画像７０１〜７０４のフォーマットが同一でない。また、画像７０３にペイロード情報が付加されており、画像７０３のフォーマットが画像７０１，７０２，７０４のフォーマットと異なる。そのため、Ｓ６０５の処理により、画像７０３のみが表示対象として決定される。図７（Ｂ）の例では、画像７０３が画面の中央に表示されている。
【００５０】
図７（Ｃ）では、画像７０１〜７０４のフォーマットが同一でない。また、画像７０３にペイロード情報が付加されており、画像７０３のフォーマットが、画像７０２のフォーマットと同じであり、画像７０１，７０４のフォーマットと異なる。そのため、Ｓ６０５の処理により、画像７０２，７０３のみが表示対象として決定される。図７（Ｂ）の例では、画像７０２が画面領域２０１（図２）に表示されており、画像７０３が画面領域２０２に表示されている。
【００５１】
図７（Ｄ）では、画像７０１〜７０４のフォーマットが同一でなく、ペイロード情報が付加された画像が存在しない。また、画像７０３のフォーマットが「１９２０×１０８０，２４ｐ」であり、画像７０１，７０２，７０４のフォーマットが「１９２０×１０８０，５０ｐ」である。即ち、画像７０３が孤立画像（孤立画像データに基づく画像）である。そのため、Ｓ６０７の処理により、画像７０３のみが表示対象として決定される。
【００５２】
図７（Ｅ）では、画像７０１〜７０４のフォーマットが同一でなく、ペイロード情報が
付加された画像が存在しない。また、画像７０１のフォーマットが「１９２０×１０８０，５０ｐ」であり、画像７０２のフォーマットが「１９２０×１０８０，３０ｐ」である。そして、画像７０３のフォーマットが「１９２０×１０８０，２４ｐ」であり、画像７０４のフォーマットが「２０４８×１０８０，５０ｐ」である。即ち、孤立画像が存在しない。そのため、Ｓ６０８の処理により、優先順に基づいて、画像７０１が表示対象として決定される。画像７０１のフォーマットと同じフォーマットを有する画像が存在しないため、画像７０１のみが表示対象として決定される。
【００５３】
図７（Ｆ）では、画像７０１〜７０４のフォーマットが同一でなく、ペイロード情報が付加された画像が存在しない。また、画像７０１，７０４のフォーマットが「１９２０×１０８０，５０ｐ」であり、画像７０２のフォーマットが「１９２０×１０８０，３０ｐ」であり、画像７０３のフォーマットが「１９２０×１０８０，２４ｐ」である。即ち、孤立画像が存在しない。そのため、Ｓ６０８の処理により、優先順に基づいて、画像７０１が表示対象として決定される。画像７０４は、画像７０１のフォーマットと同じフォーマットを有し、画像７０２，７０３は、画像７０１のフォーマットと異なるフォーマットを有する。そのため、画像７０１，７０４のみが表示対象として決定される。
【００５４】
以上述べたように、本実施例によれば、取得された複数の画像データのフォーマットが同一でない場合に、複数の画像データのフォーマットに基づいて１つのフォーマットが決定され、当該１つのフォーマットを有する画像データが表示対象として決定される。そして、２つ以上の画像データが表示対象として決定された場合に、マルチ表示モードが設定され、１つの画像データが表示対象として決定された場合に、シングル表示モードが設定される。これにより、不適切な画像表示（見苦しい画像表示）が行われないように表示モードを設定することができる。
【００５５】
なお、表示対象決定処理は、上述した処理（図６）に限らない。取得された複数の画像データのフォーマットが同一でない場合に、複数の画像データのフォーマットに基づいて１つのフォーマットが決定され、当該１つのフォーマットを有する画像データが表示対象として決定されればよい。例えば、図８に示すように、取得された複数の画像データのフォーマットが同一でない場合に、Ｓ６０２からＳ６０６に処理が進められてもよい。図８において、図６と同じ処理には図６と同じ符号が付されている。
【００５６】
＜実施例２＞
以下、本発明の実施例２について説明する。なお、以下では、実施例１と同じ構成や処理についての説明は省略する。図９は、本発明の実施例２に係る画像表示システムの構成の一例を示すブロック図である。図９に示すように、本実施例に係る画像表示ステムは、画像出力装置８００と画像表示装置９００を有する。図９において、実施例１（図１）と同じ機能部には実施例１と同じ符号が付されている。
【００５７】
画像出力装置８００は、制御部８０１、画像送信部８０２、及び、通信部８０３を有する。制御部（ＣＰＵ）８０１は、画像出力装置８００が有する各機能部の処理を制御する。本実施例では、制御部８０１は、画像制作において、様々なフォーマットの画像データを生成し、生成した画像データを画像送信部８０２に出力する。また、制御部８０１は、画像送信部８０２に出力した画像データのフォーマットを通信部８０３に通知する。
【００５８】
画像送信部８０２は、制御部８０１から出力された画像データに基づく画像の表示を目的とした画像データを出力する。本実施例では、画像送信部８０２は、４つのＳＤＩ出力端子を有する。制御部８０１から出力された画像データが１本のＳＤＩケーブルで伝送できないフォーマット（例えば、３８４０×２１６０の解像度）を有する場合には、画像送信部８０２は、制御部８０１から出力された画像データから４つの部分画像データを生成
する。そして、画像送信部８０２は、４つの部分画像データ（部分画像データを含むＳＤＩ信号）を４つのＳＤＩ出力端子から出力する。制御部８０１から出力された画像データが１本のＳＤＩケーブルで伝送できるフォーマット（例えば、１９２０×１０８０の解像度）を有する場合には、画像送信部８０２は、制御部８０１から出力された画像データを１つのＳＤＩ出力端子から出力する。そして、画像送信部８０２は、残り３つの出力端子からダミー画像データを出力する。また、本実施例では、画像送信部８０２は、個別フォーマット情報をさらに出力する。画像送信部８０２として、例えば、グラフィックカードを使用することができる。
【００５９】
画像送信部８０２の上記処理は、画像送信部８０２の内部において自動で行われる。そのため、制御部８０１は、どのＳＤＩ出力端子からどのような画像データが出力されたかを判断することはできない。なお、個別フォーマット情報は画像送信部８０２から出力されなくてもよい。ダミー画像データは画像送信部８０２から出力されなくてもよい。
【００６０】
通信部８０３は、外部装置との通信を行う。本実施例では、通信部８０３は、画像出力装置８００から通知されたフォーマットに関する情報（表示フォーマット情報）を画像表示装置９００に出力する。通信部８０３は、例えば、Ｅｔｈｅｒｎｅｔなどの通信Ｉ／Ｆを有する。なお、通信部８０３による通信は、有線通信であってもよいし、無線通信であってもよい。
【００６１】
画像表示装置９００は、実施例１の画像表示装置１００が有する複数の機能部と、通信部９０１とを有する。通信部９０１は、外部装置との通信を行う。本実施例では、通信部９０１は、画像データのフォーマットに関する情報であるフォーマット情報を取得する（第２取得処理）。具体的には、通信部９０１は、表示フォーマット情報を画像出力装置８００から取得する。そして、通信部９０１は、取得した表示フォーマット情報を、表示対象決定部１０９に出力する。通信部９０１は、例えば、Ｅｔｈｅｒｎｅｔなどの通信Ｉ／Ｆを有する。なお、通信部９０１による通信は、有線通信であってもよいし、無線通信であってもよい。
【００６２】
本実施例に係る表示対象決定処理（図５のＳ５０３の処理）について、図１０を用いて詳しく説明する。図１０は、本実施例に係る表示対象決定処理の処理フローの一例を示すフローチャートである。
【００６３】
まず、Ｓ１００１にて、表示対象決定部１０９が、通信部９０１によってフォーマット情報（表示フォーマット情報）が取得されたか否かを判断する。表示フォーマット情報が取得されなかった場合には、Ｓ１００５に処理が進められる。Ｓ１００５では、実施例１（図６）と同様の方法で表示対象が決定される。表示フォーマット情報が取得された場合には、Ｓ１００２に処理が進められる。Ｓ１００２〜Ｓ１００４では、取得された表示フォーマット情報に基づいて表示対象が決定される。
【００６４】
なお、Ｓ１００５の処理は、実施例１と同様の方法で表示対象を決定する処理に限らない。Ｓ１００５の処理として、図６のＳ６０３と同様の処理、または、図６のＳ６１１と同様の処理が行われてもよい。また、表示フォーマット情報に基づいて表示対象が決定されれば、Ｓ１００２〜Ｓ１００４の処理方法はどのような方法であってもよい。
【００６５】
Ｓ１００２では、表示対象決定部１０９が、取得された表示フォーマット情報が第１の解像度に関するフォーマット情報であるか、取得された表示フォーマット情報が第２の解像度に関するフォーマットであるかを判断する。例えば、第１の解像度は３８４０×２１６０であり、第２の解像度は１９２０×１０８０である。取得された表示フォーマット情報が第１の解像度に関するフォーマット情報である場合には、Ｓ１００３に処理が進めら
れ、取得された表示フォーマット情報が第２の解像度に関するフォーマットである場合には、Ｓ１００４に処理が進められる。
【００６６】
なお、第１の解像度と第２の解像度は特に限定されない。第２の解像度が第１の解像度よりも低ければ、第１の解像度と第２の解像度はどのような解像度であってもよい。例えば、所定の閾値以上の全ての解像度が第１の解像度として使用され、所定の閾値よりも低い全ての解像度が第２の解像度として使用されてもよい。その場合には、Ｓ１００２の処理は、「取得された表示フォーマット情報に関連した解像度が所定の閾値以上であるか否かを判断する処理」と言うことができる。
【００６７】
Ｓ１００３では、表示対象決定部１０９が、複数の検出受信部によって取得された複数の画像データの全てを、表示対象として決定する。
【００６８】
Ｓ１００４では、表示対象決定部１０９が、複数の検出受信部によって取得された複数の画像データのうち、取得された表示フォーマット情報に関連したフォーマット（関連フォーマット）と同じフォーマットを有する画像データを、表示対象として決定する。
【００６９】
以上述べたように、本実施例によれば、表示すべき画像データのフォーマットに関する表示フォーマット情報が取得された場合に、取得された表示フォーマット情報に基づいて表示対象が決定される。それにより、不適切な画像表示（見苦しい画像表示）をより高精度に抑制することができる。
【００７０】
＜その他の実施例＞
本発明は、上述の実施例の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００７１】
１００，９００：画像表示装置  １０３〜１０６：画像受信部
１０９：表示対象決定部  １１０：表示モード設定部
【図１】
2017072644.tif 000003
【図２】
2017072644.tif 000004
【図３】
2017072644.tif 000005
【図４】
2017072644.tif 000006
【図５】
2017072644.tif 000007
【図６】
2017072644.tif 000008
【図７】
2017072644.tif 000009
【図８】
2017072644.tif 000010
【図９】
2017072644.tif 000011
【図１０】
2017072644.tif 000012